(57)【要約】  表示装置、表示画面の輝度の自動調整方法及び端末装置であって、表示装置（１００）の操作可能領域には、遮光層（１１）及び光電センサ（１２）を備える環境光検出装置（１）が集積され、表示装置（１００）は、表示ユニット（２）及び制御装置（２２０）を備え、表示ユニット（２）は、環境光を通過させる光通過孔（１１１）が設けられる遮光層（１１）が内部に設けられて、光電センサ（１２）が底部に設けられるバックプレーンユニット（２１）と、バックプレーンユニット（２１）の上方に設けられる表示画面（２２）と、表示画面（２２）に接続される表示チップ（２３１）とを備え、制御装置（２２０）が光電センサに接続されて、光電センサ（１２）が感知した光信号を受信して処理するように配置され、表示チップ（２３１）が制御装置（２２０）に接続されて環境光の変換に応じて表示画面（２３２）の輝度を調整する。
2021524922.tif 000002
【特許請求の範囲】
【請求項１】
表示装置であって、遮光層及び光電センサを備える環境光検出装置と、表示ユニットと、制御装置とを備え、前記表示ユニットは、
環境光を通過させる光通過孔が設けられる前記遮光層が内部に設けられ、前記環境光の変換を検出するように配置される前記光電センサが下部に設けられるバックプレーンユニットと、
前記バックプレーンユニットの上方に設けられる表示画面と、
前記表示画面に接続される表示チップとを備え、
前記制御装置は、前記光電センサに接続されて前記光電センサが感知した光信号を受信して処理し、前記表示チップは、前記制御装置に接続されて前記環境光の変換に応じて前記表示画面の輝度を調整する表示装置。
【請求項２】
前記バックプレーンユニットは、
前記遮光層が上面に設けられて、前記光電センサが下部に設けられる基板と、
前記遮光層の上方に設けられる発光層と、
前記発光層の下面に設けられる陽極と、
前記発光層の上面に設けられる陰極とを備え、
前記光通過孔は、前記発光層から発光した光の前記環境光への干渉を解消するように、前記発光層から発光した光が前記陰極により反射された後に前記光通過孔を介して前記光電センサに向けて出射されないように構成される請求項１に記載の表示装置。
【請求項３】
前記発光層から発光した光が前記陰極を経て前記遮光層に反射されるときに、前記遮光層とは前記光通過孔の周縁で交差する反射光線に対して、前記反射光線と前記遮光層との交差点を通って遮光層の存在する平面に垂直な垂線を引くと、前記垂線と前記反射光線とのなす角が約３０°より大きい請求項２に記載の表示装置。
【請求項４】
前記バックプレーンユニットは、
前記基板の下面に設けられて、前記光電センサが下部に設けられるバックフィルムと、
前記遮光層と前記陽極との間に設けられる薄膜トランジスタ層とをさらに備える請求項２に記載の表示装置。
【請求項５】
前記環境光検出装置は、前記光電センサと前記基板との間に設けられて、前記環境光を通過させて且つ前記発光層から発光した光をそれに向けて出射するときに全反射させるように構成される低屈折率層をさらに備える請求項２〜４のいずれかに記載の表示装置。
【請求項６】
前記低屈折率層は、二酸化シリコン層であり、又は前記基板が前記光電センサに接着され且つキャビティが画定された場合、前記低屈折率層は、空気層である請求項５に記載の表示装置。
【請求項７】
前記光通過孔は、厚さ方向に沿って前記遮光層を貫通する貫通孔であり、前記貫通孔は、円形又は多角形として構成される請求項１−６のいずれかに記載の表示装置。
【請求項８】
前記光通過孔は、複数でありアレイ状に配置され、最大の半径寸法が約５μｍ−約１５μｍである請求項７に記載の表示装置。
【請求項９】
前記発光層の厚さが約１μｍ以下である請求項１〜８のいずれかに記載の表示装置。
【請求項１０】
環境光検出装置の上部に設置される保護層と、前記陰極層の上方に設置されるパッケージ層と、前記陽極層と同じ層に設置される画素画定層とをさらに備える、請求項２−９のいずれかに記載の表示装置。
【請求項１１】
請求項１〜１０のいずれかに記載の表示装置の表示画面の輝度の自動調整方法であって、
前記光電センサが環境光を感知するステップと、
前記制御装置が前記光電センサが感知した光信号を受信して、前記光信号を前記表示チップに記憶された信号と比較するステップと、
前記環境光の照射強度が調整閾値に達するか否かを判断するステップと、
調整閾値に達する場合、前記制御装置は、調整信号を前記表示チップに送信し、前記表示チップを介して前記表示画面の駆動電流を調整して前記表示画面の輝度を変化させ、且つ前記光電センサによって環境光を感知し続けるステップと、
調整閾値に達さない場合、前記光電センサによって環境光を感知し続けるステップに戻るステップと、を含む表示装置の表示画面の輝度の自動調整方法。
【請求項１２】
端末装置であって、
前記端末装置は、請求項１１に記載の表示装置の表示画面の輝度の調整方法を実行するように配置され、光電センサと、表示ユニットと、制御装置とを備え、前記光電センサ及び前記表示ユニットがいずれも前記制御装置に電気的に接続され、前記表示ユニットが表示チップ及び表示画面を備え
前記光電センサは、環境光を感知して、光信号を得るように配置され、
前記制御装置は、前記光電センサが感知した光信号を前記表示チップに記憶された信号と比較して、前記環境光の照射強度が調整閾値に達するか否かを判断し、調整閾値に達する場合、調整信号を前記表示チップに送信するように配置され、
前記表示チップは、前記調整信号に基づき前記表示画面の駆動電流を調整して前記表示画面の輝度を変化させるように配置される端末装置。
【請求項１３】
前記光電センサは、センサフレキシブル回路基板を介して、表示ユニットは、表示フレキシブル回路基板を介して、それぞれ制御装置に電気的に接続される請求項１２に記載の端末装置。
【発明の詳細な説明】
【技術分野】
【０００１】
関連出願の参照
本願は、２０１８年０５月３０日にＣＮＩＰＡに提出した、発明の名称が「表示装置、表示画面の輝度の自動調整方法及び端末装置」である中国特許出願Ｎｏ．２０１８１０５３９３４２．９の優先権を主張し、その全体が援用により本明細書に組み込まれる。
【０００２】
本開示の実施例は、表示装置、表示装置の表示画面の輝度の自動調整方法、及び前記表示装置の表示画面の輝度の自動調整方法を実行するための端末装置に関する。
【背景技術】
【０００３】
環境光検出装置は、一般的に表示パネルの可視領域（すなわちＶＡ、Ｖｉｅｗ  Ａｒｅａ）又はブラックマトリクス（ＢＭ）領域に設けられ、ＢＭ領域は、一般的に非表示領域、つまりＡＡ領域であり、操作可能領域の周囲の縁領域として知られている。しかしながら、上記技術案では、環境光検出装置は、表示パネルの対応した領域をさらに占有する必要があり、縁なしパネルの実現に不利である。
【発明の概要】
【０００４】
本開示の実施例は、表示装置を提供し、前記表示装置は、環境光検出装置を可視領域に集積させることにより、縁なしパネルの実現に有利である。本開示の実施例は、表示装置の表示画面の輝度の自動調整方法をさらに提供する。
【０００５】
本開示の実施例は、上記表示装置の表示画面の輝度の自動調整方法を実行するための端末装置をさらに提供する。
【０００６】
本開示の少なくとも１つの実施例に係る表示装置によれば、前記表示装置は、遮光層及び光電センサを備える環境光検出装置と、表示ユニットと、制御装置とを備え、前記表示ユニットは、環境光を通過させる光通過孔が設けられる前記遮光層が内部に設けられて、前記環境光の変換を検出するように配置される前記光電センサが下部に設けられるバックプレーンユニットと、前記バックプレーンユニットの上方に設けられる表示画面と、前記表示画面に接続される表示チップとを備える。前記制御装置は、前記光電センサに接続されて前記光電センサが感知した光信号を受信して処理し、前記表示チップは、前記制御装置に接続されて前記環境光の変換に応じて前記表示画面の輝度を調整する。
【０００７】
たとえば、前記バックプレーンユニットは、前記遮光層が上面に設けられて、前記光電センサが下部に設けられる基板と、前記遮光層の上方に設けられる発光層と、前記発光層の下面に設けられる陽極と、前記発光層の上面に設けられる陰極とを備える。前記光通過孔は、前記発光層から発光した光の前記環境光への干渉を解消するように、前記発光層から発光した光が前記陰極により反射された後に前記光通過孔から前記光電センサに向けて出射されないように構成される。
【０００８】
たとえば、前記発光層から発光した光が前記陰極を経て前記遮光層に反射されるときに、前記遮光層とは前記光通過孔の周縁で交差する反射光線に対して、前記反射光線と前記遮光層との交差点を通って遮光層の存在する平面に垂直な垂線を引くと、前記垂線と前記反射光線とのなす角が約３０°より大きい。
【０００９】
たとえば、前記バックプレーンユニットは、前記基板の下面に設けられて、前記光電センサが下部に設けられるバックフィルムと、前記遮光層と前記陽極との間に設けられる薄膜トランジスタ層とをさらに備える。
【００１０】
たとえば、前記環境光検出装置は、前記光電センサと前記基板との間に設けられて、前記環境光を通過させて且つ前記発光層から発光した光をそれに向けて出射するときに全反射させるように構成される低屈折率層をさらに備える。
【００１１】
たとえば、前記低屈折率層は、二酸化シリコン層であり、又は前記基板が前記光電センサに接着され且つキャビティが画定された場合、前記低屈折率層は、空気層である。
【００１２】
たとえば、前記光通過孔は、厚さ方向に沿って前記遮光層を貫通する貫通孔であり、前記貫通孔は、円形又は多角形として構成される。
【００１３】
たとえば、前記光通過孔は、複数でありアレイ状に配置され、最大の半径寸法が約５μｍ−約１５μｍである。
【００１４】
たとえば、前記発光層の厚さが約１μｍ以下である。
【００１５】
たとえば、前記表示装置は、保護層と、パッケージ層と、画素画定層とをさらに備える。前記保護層は、環境光検出装置の上部に設置され、前記パッケージ層は、前記陰極層の上方に設置され、前記画素画定層は、前記陽極層と同じ層に設置される。
【００１６】
本開示の少なくとも１つの実施例によれば、前記表示装置の表示画面の輝度の自動調整方法をさらに提供し、該自動調整方法は、前記光電センサが環境光を感知するステップと、前記制御装置が前記光電センサが感知した光信号を受信して、前記光信号を前記表示チップに記憶された信号と比較するステップと、前記環境光の照射強度が調整閾値に達するか否かを判断するステップと、調整閾値に達する場合、前記制御装置は、調整信号を前記表示チップに送信し、前記表示チップを介して前記表示画面の駆動電流を調整して前記表示画面の輝度を変化させ、且つ前記光電センサによって環境光を感知し続けるステップと、調整閾値に達さない場合、前記光電センサによって環境光を感知し続けるステップに戻るステップと、を含む。
【００１７】
本開示の少なくとも１つの実施例によれば、端末装置をさらに提供し、前記端末装置は、前記表示装置の表示画面の輝度の調整方法を実行するように配置され、光電センサと、表示ユニットと、制御装置とを備える。前記光電センサ及び前記表示ユニットは、いずれも前記制御装置に電気的に接続され、前記表示ユニットは、表示チップ及び表示画面を備える。前記光電センサは、環境光を感知して、光信号を取得するように配置され、前記制御装置は、前記光電センサが感知した光信号を前記表示チップに記憶された信号と比較して、前記環境光の照射強度が調整閾値に達するか否かを判断し、調整閾値に達する場合、調整信号を前記表示チップに送信するように配置され、前記表示チップは、前記調整信号に基づき前記表示画面の駆動電流を調整し前記表示画面の輝度を変化させるように配置される。
【００１８】
たとえば、前記光電センサは、センサフレキシブル回路基板を介して、前記表示ユニットは、表示フレキシブル回路基板を介して、それぞれ制御装置に電気的に接続される。
【００１９】
当業者が本開示の実施例をより明瞭に理解できるように、以下、図面を参照しながら本開示の実施例をより詳細に説明する。
【図面の簡単な説明】
【００２０】
【図１】図１は、本開示の実施例に係る表示装置の１つの模式図である。
【図２】図２は、本開示の実施例に係る表示装置の別の模式図である。
【図３】図３は、本開示の実施例に係る表示装置のさらに別の模式図であり、矢印は、発光層から発光した光の伝播方向を指す。
【図４】図４は、本開示の実施例に係る表示装置のまたさらに別の模式図である。
【図５】図５は、本開示の実施例に係る表示装置における発光層から発光した光の光路伝播模式図である。
【図６】図６は、本開示の実施例に係る表示装置の模式図であり、環境光検出装置の別の実施例を示す。
【図７】図７は、図６における表示装置の１つの模式図である。
【図８】図８は、本開示の実施例に係る表示装置において、室内が明るい状態で、光電センサが感知した光エネルギーを示す。
【図９】図９は、本開示の実施例に係る表示装置において、室内がわずかに暗い状態（たとえば一部のランプを消灯する）で、光電センサが感知した光エネルギーを示す。
【図１０】図１０は、本開示の実施例に係る表示装置において、室内がわずかに暗い状態（たとえば一部のランプを消灯する）で、且つ白紙で覆われる状態（すなわち、白紙が表示画面の正前面に覆われる）で、光電センサが感知した光エネルギーを示す。
【図１１】図１１は、本開示の実施例に係る表示装置において、室内のランプを消灯した状態で、光電センサが感知した光エネルギーを示す。
【図１２】図１２は、本開示の実施例に係る表示装置の表示画面の輝度の自動調整方法のフローチャートを示す。
【図１３】図１３は、本開示の実施例に係る端末装置の概略ブロック図である。
【図１４】図１４は、本開示の実施例に係る端末装置の構造の模式図である。
【図１５】図１５は、本開示の実施例に係る制御装置の動作のフローチャートである。
【発明を実施するための形態】
【００２１】
以下、本開示の実施例の図面を参照しながら、本開示の実施例の技術案を明瞭で完全に説明する。勿論、説明される実施例は、本開示の一部の実施例であり、全ての実施例ではない。説明される本開示の実施例に基づき、当業者が創造的な労働を必要とせずに得る全ての他の実施例は、いずれも本開示の保護範囲に属する。
【００２２】
さらに定義しない限り、本開示で使用されている技術用語又は科学用語は、当業者が理解できる通常の意味を有する。本開示で使用されている「第１」、「第２」及び類似する用語は、順序、数量又は重要性を示すものではなく、単に異なる構成要素を区別するためのものである。「備える」又は「含む」などの類似する用語は、「備える」又は「含む」の前に記載される要素又は部材が、「備える」又は「含む」の後に挙げられる要素又は部材及びそれらと同等のものを包括し、他の要素又は部材を排除しないことを意味する。「接続」又は「連結」などの類似する用語は、物理的又は機械的接続に限定されず、直接的又は間接的接続にかかわらず、電気的接続も含む。「上」、「下」、「左」、「右」などは、単に相対的な位置関係を示すために過ぎず、説明される対象の絶対位置が変化すると、該相対的な位置関係も対応して変化する可能性がある。
【００２３】
以下、図面を参照しながら説明する実施例は、例示的なものであり、本発明を解釈するために過ぎず、本発明を限定するものとして理解すべきではない。
【００２４】
以下、図面を参照しながら本開示の実施例に係る表示装置１００を説明する。
【００２５】
本開示の実施例に係る表示装置１００では、表示装置１００の操作可能領域には、環境光検出装置１が集積される。環境光検出装置１を表示装置１００の操作可能領域に集積させることにより、環境光検出装置１による操作可能領域の周囲の縁領域の占有を減少することができ、それにより縁なしの全画面パネルの実現に有利である。
【００２６】
以下、図面を参照しながら本開示に係る表示装置１００の例示的な実施例を説明する。
【００２７】
図１に示すように、環境光検出装置１は、遮光層１１及び光電センサ１２を備える。遮光層１１は、モリブデン層、チタン層、銀層などの金属層であってもよく、遮光層１１の厚さが実際のニーズに応じて適宜設置されてもよい。
【００２８】
図２を参照しながら図１と組み合わせると、表示装置１００は、表示ユニット２及び制御装置３を備える。表示ユニット２は、バックプレーンユニット２１と、表示画面２２と、表示チップとを備える。
【００２９】
たとえば、環境光検出装置１の遮光層１１は、バックプレーンユニット２１内に設けられてもよい。バックプレーンユニット２１は、多層構造を有し、遮光層１１が前記多層構造における一層である。遮光層１１には環境光４を通過させる光通過孔１１１が設けられる。このような構成は、環境光の正確な検出に有利であり、表示装置１００の使用性を向上させる。
【００３０】
表示画面２２は、バックプレーンユニット２１の上方に設けられ、前記表示チップは、表示画面２２に接続される。表示チップの設置位置が選択可能である。光電センサ１２は、バックプレーンユニット２１の底部に設けられて、環境光４の変換を検出する。ここでの変換は、たとえば環境光の照度によるセンサの光電流の変化を指す。
【００３１】
制御装置３は、光電センサ１２に接続されて光電センサ１２が感知した光信号を受信して処理する。前記表示チップは、制御装置３に接続されて環境光４の変換に応じて表示画面２２の輝度を調整する。それにより、環境光検出装置１を表示装置１００の操作可能領域に集積させることによって、環境光検出装置１による表示装置１００の他の領域の占有を減少することに有利であり、さらに全画面パネルの実現に有利である。
【００３２】
たとえば、制御装置３をそれぞれ光電センサ１２及び前記表示チップに接続することにより、制御装置３は、光電センサ１２が感知した光信号を受信して処理し、且つ前記光信号を前記表示チップに記憶された信号と比較することができ、このようにして、前記表示チップが環境光４の変換に応じて表示画面２２の輝度を調整することができ、電力を節約するだけでなく、ユーザーの使用上の快適さを向上させることに有利である。
【００３３】
たとえば、制御装置３は、一般的に、デジタル信号処理チップ（ＤＳＰ）、プリント回路基板（ＰＣＢ）、ＣＰＵ、表示チップ（ＩＣ）を備える。
【００３４】
制御装置の動作過程が図１５に示される。光電センサで環境光信号を感知して、環境光信号をＤＳＰにより処理し（ここでは、一般的に、補間ファジー処理）、ＰＣＢによって処理済みのデータをＣＰＵに送信し、ＣＰＵで表示画面の輝度（又は階調）を調整する必要がるか否かを判断する。閾値に達していないと、調整が不要であり、今回の操作を中断する。閾値に達すると、調整する必要があり、調整比率を算出し、且つ調整データを表示チップ（ＩＣ）に送信して、調整データを表示データのＤＡＴＡに加算し、表示画面に伝送して表示させる。たとえば、階調制御信号と表示生データ（ＲＡＷ  ＤＡＴＡ）を結合して、最終的な表示データを転送して表示することをさらに含んでもよい。
【００３５】
また、たとえば、ＤＳＰは、デジタル信号処理チップとして、ＣＭＯＳの内部に含まれてもよい。ＤＳＰフレームは、ＩＳＰ（信号処理装置）を備える。
【００３６】
たとえば、ＤＳＰフレームは、ＪＰＥＧ  ｅｎｃｏｄｅｒ（画像デコーダ）をさらに備えてもよい。
【００３７】
本開示の実施例に係る表示装置１００では、環境光検出装置１を表示装置１００の操作可能領域に集積させることによって、従来技術に比べて画面の空間を節約して、画面占有率を向上させることに有利である。また、制御装置３をそれぞれ光電センサ１２及び前記表示チップに接続することにより、表示装置１００が環境光４の変換に応じて表示画面２２の輝度を調整することができ、ユーザーの使用上の快適さを向上させるとともにエネルギーを節約する。
【００３８】
たとえば、図３及び図４に示すように、バックプレーンユニット２１は、基板２１１と、発光層２１２と、陽極２１３と、陰極２１４とを備える。
【００３９】
遮光層１１は、基板２１１の上面に設けられ、光電センサ１２は、基板２１１の底部に設けられて環境光４の変換を検出し、発光層２１２は、遮光層１１の上方に設けられ、陽極２１３は、発光層２１２の下面に設けられ、陰極２１４（たとえば金属陰極）は、発光層２１２の上面に設けられる。
【００４０】
発光層２１２は、有機発光層（すなわちＥＬ、Ｅｍｉｔｔｉｎｇ  Ｌａｙｅｒ）であってもよく、光通過孔１１１は、発光層２１２から発光した光の環境光４への干渉を解消するように、発光層２１２から発光した光が陰極２１４により反射された後に光通過孔１１１から光電センサ１２に向けて出射されないように構成される。このようにして、発光層２１２自体から発光した光の環境光４への干渉を回避することに有利であり、環境光の検出の正確性を高める。
【００４１】
遮光層１１は、一部分の光を遮断することができ、たとえば、遮光層１１は、発光層２１２から発光した光を遮断することができ、それにより発光層２１２から発光した光の環境光４への干渉を減少させて、光電センサ１２の検出の正確性を向上させ、さらに前記表示チップによって表示画面２２の輝度を適応的に調整することに有利である。
【００４２】
たとえば、光通過孔１１１は、厚さ方向に沿って遮光層１１を貫通する貫通孔であり、貫通孔は、円形又は多角形として構成される。それにより、光透過率を高めることに有利であり、発光層２１２自体から発光した光の環境光４への干渉をさらに回避して、環境光の検出の正確性を高める。
【００４３】
たとえば、光通過孔１１１は、複数あり、且つアレイ状に配置されてもよい。それにより、光透過率を高めることにより有利であり、さらに発光層２１２自体から発光した光の環境光４への干渉を回避することに有利であり、環境光の検出を正確にして、画面の輝度をより良好に調整する。
【００４４】
光透過量を増加させるために、光通過孔１１１の密度を最大限に増加することができる。たとえば、各サブ画素のとなりに１つの光通過孔１１１を形成する。環境光検出装置１を操作可能領域に設計することにより、表示画面２２の面積を増大することができる。より大きな画面占有率を実現することができる。
【００４５】
なお、たとえば、操作可能領域が表示領域に設置されてもよい。たとえば、全画面に孔のアレイを形成してもよく、画面のある領域に孔又は孔のアレイを形成してもよい。全画面に形成する場合、全画面が操作領域となり、局所だけに形成する場合、センサが小さいので、効果を奏するには孔のアイレが形成された領域にセンサを配置する必要があり、従って、この局所領域が操作可能領域となる。
【００４６】
たとえば、環境光検出装置１を操作可能領域に集積させ、環境光に応じて画面の輝度を自動的に調整することにより、空間を節約し、画面の面積を増加し、画面占有率を向上させることができ、全画面パネルの実現に有利である。
【００４７】
また、遮光層１１を設置して、遮光層１１に光通過孔１１１を開けることにより、発光層２１２自体から発光した光の、環境光４を検出する光電センサ１２への干渉を回避して、環境光の検出を正確にし、全画面の指紋識別を実現することができる。なお、指紋識別の実施が通常の指紋識別方法を参照すればよいため、ここで詳しく説明しない。
【００４８】
或いは、光通過孔１１１の最大の半径寸法が約５μｍ−約１５μｍである。それにより、光通過孔１１１の最大の半径寸法を約５μｍ−約１５μｍの範囲に設置することにより、光透過率を高めることにより有利であり、さらに発光層２１２自体から発光した光の環境光４への干渉を回避することに有利であり、環境光の検出を正確にする。
【００４９】
光通過孔１１１の最大の半径寸法は、たとえば約５μｍ、約８μｍ、約１０μｍ又は約１５μｍなどであってもよい。
【００５０】
ここで、なお、光通過孔１１１が円形孔である場合、光通過孔１１１の最大の半径寸法は、円形孔の直径を指し、光通過孔１１１が多角形孔である場合、光通過孔１１１の最大の半径寸法は、光通過孔１１１の外接円の直径を指し、光通過孔１１１の最小の半径寸法は、光通過孔１１１の内接円の直径を指し、これは、当業者にとって理解できる。
【００５１】
或いは、発光層２１２の厚さが約１μｍ以下であってもよい。それにより、表示装置１００の構造をより軽量で薄型にし且つコンパクトにする。
【００５２】
図３及び図４に示すように、表示装置１００は、保護層５（たとえば保護ガラスカバーなど）と、パッケージ層６と、画素画定層７とをさらに備え、たとえば、保護層５が表示画面の最外側に設けられてもよく、保護層５を介して表示画面及び環境光検出装置１などがある程度で保護され、それによって、環境光検出の精度を確保して、表示装置１００の耐用年数を延ばすことに有利である。
【００５３】
パッケージ層６は、陰極２１４の上方に設けられてもよく、画素画定層７は、陽極２１３と同じ層に位置してもよい。図４に示すように、表示装置は、偏光子２３及びタッチパネル２４をさらに備えてもよい。タッチパネル２４は、光学接着剤でパッケージ層６に接着されてもよい。たとえば、保護層５は、偏光子２３に設置されてもよい。
【００５４】
或いは、図３を参照しながら図４と組み合わせると、バックプレーンユニット２１は、バックフィルム２１５及び薄膜トランジスタ層２１６をさらに備え、バックフィルム２１５は、基板２１１の下面に設けられ、光電センサ１２は、バックフィルム２１５の底部に設けられる。バックフィルム２１５は、ガラス又は熱可塑性ポリエステルＰＥＴ（ポリエチレンテレフタレート、Ｐｏｌｙｔｈｙｌｅｎｅ  ｔｅｒｅｐｈｔｈａｌａｔｅ）などであってもよい。薄膜トランジスタ層２１６は、遮光層１１と陽極２１３の間に設けられてもよい。前記表示チップは、薄膜トランジスタ層２１６に接続され、前記表示チップによって各画素の明るさを調整することができる。発光層２１２から発光した光が陰極２１４を経て遮光層１１に反射されるときに、反射光線が遮光層１１とは光通過孔１１１の周縁で交差する場合（たとえば、光通過孔１１１の遮光層１１における投影が前記反射光線と交差する）、反射光線と遮光層１１との交差点を通って遮光層１１の所在する平面に垂直な垂線を引くと、前記垂線と前記反射光線となす角が約３０°より大きい。このようにすると、発光層２１２自体から発光した光の環境光４への干渉を回避することにより有利であり、環境光の検出を正確にする。
【００５５】
たとえば、発光層２１２から発光した光が陰極２１４と交差点を有し且つ前記交差点を介して遮光層１１に向けて反射され、光通過孔１１１の遮光層１１における投影が円形であり、光通過孔１１１の直径方向の両端に端点を有し、前記交差点と前記端点を接続して第１結ぶ線を形成し、前記端点を通って遮光層１１の所在する平面に垂直な垂線を引いて第２結ぶ線を形成すると、前記第１結ぶ線と前記第２結ぶ線となす角が約３０°より大きい。
【００５６】
たとえば、図５を参照しながら図３を組み合わせると、発光層２１２の上面のエッジにある点をＡ１とし、発光層２１２の下面のエッジにある点をＡ３とし、発光層２１２の上面と下面との間のあるエッジにある点をＡ２とし、前記端点は、第１端点Ｂ１及び第２端点Ｂ２を含む。
【００５７】
前記Ａ１点から発光した光が前記第１端点Ｂ１を経て出射される場合、前記第１端点Ｂ１を通って遮光層１１の所在する平面に垂直な垂線は、陰極２１４と第１交差点Ｏ１を有し、第１なす角が∠Ａ１Ｂ１０１であり、又はθ１と呼ばれ、約３０°より大きい。
【００５８】
たとえば、前記交差点は、第２交差点Ｏ２、第３交差点Ｏ３及び第４交差点Ｏ４をさらに含み、前記Ａ２点から発光した光が前記第２交差点Ｏ２を経て前記第１端点Ｂ１から出射される場合、第２なす角が∠Ｏ２Ｂ１Ｏ１であり、又はθ２と呼ばれ、約３０°より大きい。
【００５９】
前記Ａ３点から発光した光が前記第３交差点Ｏ３を経て前記第２端点Ｂ２から出射される場合、前記第２端点Ｂ２を通った垂線は、陰極２１４と第４交差点Ｏ４を有し、第３夾角が∠Ｏ３Ｂ２Ｏ４であり、又はθ３と呼ばれ、約３０°である。
【００６０】
たとえば、環境光４は、光通過孔１１１を通過して、光電センサ１２に入って感光される。光電センサ１２は、積分された感光エネルギーを検出する。制御装置３は、それぞれ光電センサ１２及び前記表示チップに接続されて環境光４の強さを判断し、前記表示チップによって表示画面２２の輝度を自動的に調整する。また、光通過孔１１１は、表示装置１００、たとえばＯＬＥＤ（Ｏｒｇａｎｉｃ  Ｌｉｇｈｔ−Ｅｍｉｔｔｉｎｇ  Ｄｉｏｄｅ、有機発光ダイオード）内部の発光層２１２による発光を遮断する作用を奏することができ、表示装置１００の内部の迷光が光電センサ１２の検出に干渉することによる誤判断を回避する。
【００６１】
図３に示すように、遮光層１１の光通過孔１１１が発光層２１２自体から発光した光を解消できるように、前記なす角θ１、θ２、θ３がいずれも約３０°より大きく、たとえば３８°などであることが要求されており、ここで、θ１、θ２、θ３は下記式を満たす。
【数１】
2021524922.tif 000003
【００６２】
Ａは、第２発光点から反射光と遮光層との交差点までの垂直距離を指し、Ｂは、第１発光点から光又は反射光と遮光層との交差点までの垂直距離を指し、Ｅは、反射層の下面から遮光層の上面までの垂直距離を指し、Ｆは、発光層の下面から遮光層の上面までの垂直距離を指す。
【００６３】
ここで、なお、図３−図５に示される発光層２１２の厚さが非常に薄く、説明の便宜上、図には発光層２１２の構造及び一部の光線が概略的に示されている。
【００６４】
本開示の別の実施例によれば、環境光検出装置１は、低屈折率層１３をさらに備えてもよい。
【００６５】
本開示のいくつかの実施例によれば、図６に示すように、環境光検出装置１は、光電センサ１２と基板２１１との間に設けられ、前記環境光を通過させて且つ発光層２１２から発光した光をそれに向けて出射するときに全反射させるように構成される低屈折率層１３をさらに備えてもよい。
【００６６】
たとえば、図７に示すように、基板２１１の下面にはバックフィルム２１５が設けられ、低屈折率層１３は、光電センサ１２とバックフィルム２１５との間に設けられてもよい。
【００６７】
或いは、低屈折率層１３は、二酸化シリコン層、又は基板２１１と光電センサ１２との間の接着層である。また、基板２１１と光電センサ１２との間にはキャビティが画定されてもよく、この場合、低屈折率層１３が空気層であってもよい。低屈折率層１３の形態が必要に応じて選択することができる。それにより、発光層２１２から発光した一部の光が陰極２１４を経て反射された後、光が光通過孔１１１を介して光電センサ１２に向けて出射されると、この場合、低屈折率層１３によって前記光を全反射させることができ、それにより発光層２１２自体から発光した光の環境光４への干渉をさらに減少することに有利であり、環境光検出の正確にさらに有利である。
【００６８】
光通過孔１１１の位置を合理的に設定することにより、発光層２１２から発光した光が光通過孔１１１を介して光電センサ１２に向けて出射するときに全反射し、環境光４が光通過孔１１１を通過して低屈折率層１３に向けて出射されるときに全反射せず、従って、低屈折率層１３が環境光４に対して基本的に影響を与えない。
【００６９】
たとえば、環境光４は、低屈折率層１３を透過して光電センサ１２の表面に到達することができるが、表示装置１００の内部の自己発光にも内部反射があり、そのほとんどが遮光層１１によって遮断され、干渉を引き起こすことがない。発光層２１２から発光した一部の光が遮光層１１の光通過孔１１１に入射しても、その入射角が大きく、低反射率層１３で全反射が発生し、光電センサ１２の表面まで到達することがないため、光電センサ１２が検出したものがほとんど環境光４であり、検出を正確にすることができる。それにより環境光の輝度の変化に応じて表示画面２２の輝度を変化させることができ、そして、表示装置の表示画面による影響を受けない。
【００７０】
図８は、室内が明るい状態で、光電センサ１２が感知した光エネルギーを示す。図９及び図１０は、室内がわずかに暗い状態で、光電センサ１２が感知した光エネルギーを示す。図１１は、室内がランプを消灯した状態で感知した光エネルギーを示す。すべてのテストは、画面点灯状態（すなわち、表示画面が点灯した状態）で行われる。明らかなように、環境光４の変化に伴って、光電センサ１２が感知した光エネルギーが変化し、表示画面が点灯した状態では環境光４に干渉しない。
【００７１】
図１２に示すように、本開示の実施例によれば、上記表示装置の表示画面の輝度の自動調整方法をさらに提供する。前記光電センサが環境光を感知し、前記制御装置が前記光電センサが感知した光信号を受信して、前記光信号を前記表示チップに記憶された信号と比較し、前記制御装置が前記環境光の照射強度が調整閾値（前記調整閾値を適応的に設定することができる）に達するか否かを判断する。調整閾値に達する場合、前記制御装置は、調整信号を前記表示チップに送信し、前記表示チップを介して前記表示画面の駆動電流を調整して前記表示画面の輝度を変化させ、且つ前記光電センサによって環境光を感知し続ける。調整閾値に達さない場合、前記光電センサによって環境光を感知し続けるステップに戻る。それにより、環境光の変換に応じて表示画面の輝度を自動的に調整することができ、且つ発光層自体から発光した光の環境光への干渉を回避することに有利であり、環境光の検出を正確にする。
【００７２】
たとえば、前記光信号は、前記表示チップに記憶された信号と対応関係を有し、前記光信号が前記表示チップに記憶された信号とマッチングしない場合、前記環境光の照射強度が調整閾値に達すると判断できる。
【００７３】
ここで、前記制御装置と光電センサは、独立して設置されてもよく、勿論、前記制御装置は、光電センサを備える比較モジュール及び解析モジュール等を集積してもよい。
【００７４】
図１３を参照しながら図１４及び図１５と組み合わせると、本開示の実施例によれば、上記表示装置の表示画面の輝度の調整方法を実行する端末装置２００をさらに提供する。端末装置２００は、光電センサ２１０と、表示ユニット２３０と、制御装置２２０とを備える。
【００７５】
光電センサ２１０及び表示ユニット２３０は、いずれも制御装置２２０に電気的に接続され、表示ユニット２３０は、表示チップ２３１及び表示画面２３２を備える。
【００７６】
たとえば、図１４に示すように、光電センサ２１０は、センサフレキシブル回路基板（ＦＰＣ）２１８を介して、表示チップ２３１及び表示画面２３２を備える表示ユニット２３０は、表示ＦＰＣを介して、それぞれ制御装置２２０に電気的に接続される。
【００７７】
たとえば、光電センサ２１０は、環境光を感知して、光信号を得て、制御装置２２０は、光電センサ２１０が感知した光信号を表示チップ２３１に記憶された信号と比較して、環境光の照射強度が調整閾値に達するか否かを判断する。調整閾値に達する場合、調整信号を表示チップ２３１に送信し、表示チップ２３１は、調整信号に基づいて表示画面２３２の駆動電流を調整して表示画面２３２の輝度を変化させる。
【００７８】
前記実施例に係る端末装置２００は、環境光の変換に応じて表示画面２３２の輝度を適応的に調整することができ、ユーザーの使用上の快適な体験を向上させることに有利である。
【００７９】
なお、端末装置２００の構成をより明瞭に示すために、表示装置１００と名称が同じである端末装置２００の特徴には異なる符号を付する。
【００８０】
本開示の実施例に係る表示装置の他の構造及び操作は、通常の設計を参照すればよいので、ここで詳細に説明しない。
【００８１】
本明細書の説明において、「１つの実施例」、「いくつかの実施例」、「例」、又は「いくつかの例」などの参照用語による説明は、該実施例又は例にて説明した特徴、構造、材料又は特性が本開示の少なくとも１つの実施例又は例に含まれることを意味する。本明細書では、上記用語の概略的な記述は、必ずしも同じ実施例又は例について行われるわけではない。且つ、説明した特徴、構造、材料又は特性をいずれか１つ又は複数の実施例又は例において適切な方式で組み合わせることができる。また、互いに矛盾しない限り、当業者は、本明細書に説明した異なる実施例又は例及び異なる実施例又は例の特徴を結合したり組み合わせたりすることができる。
【００８２】
以上の内容は、本開示の原理を説明するために使用される例示的な実施例にすぎず、本開示の実施例は、それらに限定されない。当業者であれば、本開示の実施例の原理を逸脱せずに、様々な変形及び改良を行うことができ、これらの変形及び改良は、本開示の保護範囲に属すると見なすべきである。
【符号の説明】
【００８３】
１  環境光検出装置
２  表示ユニット
３  制御装置
４  環境光
５  保護層
６  パッケージ層
７  画素画定層
１１  遮光層
１２  光電センサ
１３  低屈折率層
２１  バックプレーンユニット
２２  表示画面
２３  偏光子
２４  タッチパネル
１００  表示装置
１１１  光通過孔
２００  端末装置
２１０  光電センサ
２１１  基板
２１２  発光層
２１３  陽極
２１４  陰極
２１５  バックフィルム
２１６  薄膜トランジスタ層
２１８  センサフレキシブル回路基板
２２０  制御装置
２３０  表示ユニット
２３１  表示チップ
２３２  表示画面
【図１】
2021524922.tif 000004
【図２】
2021524922.tif 000005
【図３】
2021524922.tif 000006
【図４】
2021524922.tif 000007
【図５】
2021524922.tif 000008
【図６】
2021524922.tif 000009
【図７】
2021524922.tif 000010
【図８】
2021524922.tif 000011
【図９】
2021524922.tif 000012
【図１０】
2021524922.tif 000013
【図１１】
2021524922.tif 000014
【図１２】
2021524922.tif 000015
【図１３】
2021524922.tif 000016
【図１４】
2021524922.tif 000017
【図１５】
2021524922.tif 000018
【国際調査報告】
2021524922.tif 000019
2021524922.tif 000020
2021524922.tif 000021
2021524922.tif 000022